(57)【要約】【課題】車両用ドアクローザ装置において、クローズ機能とリリース機能を兼ね備えながらも、小型化を可能にする。【解決手段】遊星歯車機構３３は、リングギヤ３９がクローズ方向へ回動したときには、プラネタリーギヤ３６が一方向へ自転しつつ公転し、当該公転によるクローズレバー３８のクローズ方向への回動によりラッチ７をハーフラッチ位置からフルラッチ位置へ回動させ、また、リングギヤ３９がリリース方向へ回動したときには、プラネタリーギヤ３６が自転し、当該自転によるサンギヤ３５の一方向への回動によりラチェット９とラッチ７との係合を解除させる。【選択図】図４
2014009477.tif 000002
【特許請求の範囲】
【請求項１】
ラッチユニットと、モータと、クローザ・リリースユニットとを備え、
前記ラッチユニットは、
ストライカと係合しハーフラッチ位置からフルラッチ位置に移動可能なラッチと、前記ハーフラッチ位置または前記フルラッチ位置にある前記ラッチに係合可能なラチェットとを含み、
前記クローザ・リリースユニットは、
支軸により枢支され、サンギヤニュートラル位置から一方向へ回動可能で、かつ前記サンギヤニュートラル位置から前記一方向と反対方向の他方向へ回動不能なサンギヤと、
前記サンギヤに自転及び公転可能に噛み合うプラネタリーギヤと、
前記支軸により枢支され、前記プラネタリーギヤを枢支するクローズレバーと、
前記支軸により枢支され、円周の内側に前記プラネタリーギヤと噛み合う内歯ギヤを有し前記モータによりリングギヤニュートラル位置から前記サンギヤの前記一方向と同一方向のクローズ方向及び当該クローズ方向と反対方向のリリース方向へ回動可能なリングギヤとを含む遊星歯車機構を有し、
前記遊星歯車機構は、前記リングギヤが前記クローズ方向へ回動したときには、前記プラネタリーギヤが一方向へ自転しつつ公転し、当該公転による前記クローズレバーのクローズ方向への回動により前記ラッチをハーフラッチ位置からフルラッチ位置へ回動させ、また、前記リングギヤが前記リリース方向へ回動したときには、前記プラネタリーギヤが自転し、当該自転による前記サンギヤの一方向への回動により前記ラチェットと前記ラッチとの係合を解除させるようにしたことを特徴とする車両用ドアクローザ装置。
【請求項２】
前記リングギヤは、前記円周の外側に前記モータの動力により回転可能な出力ギヤと噛み合う外歯ギヤを有することを特徴とする請求項１記載の車両用ドアクローザ装置。
【請求項３】
前記リングギヤの前記円周を、扇形としたことを特徴とする請求項１または２記載の車両用ドアクローザ装置。
【請求項４】
前記クローズ・リリースユニットは、さらに前記ラチェットに直接または間接的に連結されて前記ラチェットと前記ラッチとの係合を解除するリリース方向へ移動可能なリリース出力レバーを備え、
前記サンギヤは、前記サンギヤニュートラル位置から一方向へ回動することにより、前記リリース出力レバーをリリース方向へ回動させ得るように前記リリース出力レバーに当接可能な当接部を有することを特徴とする請求項１〜３のいずれかに記載の車両用ドアクローザ装置。
【請求項５】
前記クローズレバーは、スプリングにより前記クローズ方向と反対方向への付勢されて、ストッパに当接したクローズレバーニュートラル位置に保持されると共に、前記ラッチに直接または間接的に連結されることを特徴とする請求項１〜４のいずれかに記載の車両用ドアクローザ装置。
【発明の詳細な説明】
【技術分野】
【０００１】
本発明は、ドアをハーフラッチ状態からフルラッチ状態に移動させるクローズ機能及びドアの開きを可能にするリリース機能を備えた車両用ドアクローザ装置に関する。
【背景技術】
【０００２】
従来、車両用ドアクローザ装置としては、例えば、特許文献１に記載されたようなものがある。
特許文献１に記載された車両用ドアクローザ装置は、電動モータの回転軸に固着された駆動ギヤと、回転可能に支持され駆動ギヤと噛み合うギヤ部を有するサンギヤと、外周面に係合部を有してサンギヤと同軸に支持され、係合部において係脱部材に係合されて回転不能に係止されるとともに、係合部における係脱部材との係合が解除されて回転可能となるリングギヤと、サンギヤ及びリングギヤに噛み合わされる遊星ギヤと、サンギヤと同軸に支持されると共に遊星ギヤに連結され、サンギヤの回転に伴い係脱部材により回転不能に係止されたリングギヤに対し、遊星ギヤが自転及び公転することで回転動力を出力するキャリアと、キャリアと一体回動する駆動レバーとを含む遊星歯車機構を備え、キャリアから出力される回転動力を、駆動レバーを介して、ドアを半ドア状態（ハーフラッチ状態）及び全閉状態（フルラッチ状態）にそれぞれ保持可能なラッチ機構のラッチに伝達することで、ラッチをハーフラッチ位置からフルラッチ位置に移動させてドアを半ドア状態から全閉状態に閉め込む動作を行うものである。
【先行技術文献】
【特許文献】
【０００３】
【特許文献１】特開２００７−１３８５３０号公報
【発明の概要】
【発明が解決しようとする課題】
【０００４】
上記特許文献１に記載のドアクローザ装置においては、モータの回転を減速するための減速機構が遊星歯車機構により構成されるため、少ない段数で大きな減速比が得られることから装置の小型化を容易にはかることは可能であるが、ラッチをハーフラッチ位置からフルラッチ位置へ移動させるクローズ機能は備えるものの、ラッチに係合したラチェットをリリース方向へ移動させることでドア開を可能にするリリース機能は備えていない。
【０００５】
本発明は、上記課題に鑑み、クローズ機能とリリース機能を兼ね備えながらも、小型化を可能にした車両用ドアクローザ装置を提供することを目的とする。
【課題を解決するための手段】
【０００６】
本発明によると、上記課題は、次のようにして解決される。
請求項１に記載の発明は、ラッチユニットと、モータと、クローザ・リリースユニットとを備え、前記ラッチユニットは、ストライカと係合しハーフラッチ位置からフルラッチ位置に移動可能なラッチと、前記ハーフラッチ位置または前記フルラッチ位置にある前記ラッチに係合可能なラチェットとを含み、前記クローザ・リリースユニットは、支軸により枢支され、サンギヤニュートラル位置から一方向へ回動可能で、かつ前記サンギヤニュートラル位置から前記一方向と反対方向の他方向へ回動不能なサンギヤと、前記サンギヤに自転及び公転可能に噛み合うプラネタリーギヤと、前記支軸により枢支され、前記プラネタリーギヤを枢支するクローズレバーと、前記支軸により枢支され、円周の内側に前記プラネタリーギヤと噛み合う内歯ギヤを有し前記モータによりリングギヤニュートラル位置から前記サンギヤの前記一方向と同一方向のクローズ方向及び当該クローズ方向と反対方向のリリース方向へ回動可能なリングギヤとを含む遊星歯車機構を有し、前記遊星歯車機構は、前記リングギヤが前記クローズ方向へ回動したときには、前記プラネタリーギヤが一方向へ自転しつつ公転し、当該公転による前記クローズレバーのクローズ方向への回動により前記ラッチをハーフラッチ位置からフルラッチ位置へ回動させ、また、前記リングギヤが前記リリース方向へ回動したときには、前記プラネタリーギヤが自転し、当該自転による前記サンギヤの一方向への回動により前記ラチェットと前記ラッチとの係合を解除させるようにしたことを特徴とする。
【０００７】
上記構成によれば、遊星歯車機構を構成するプラネタリーギヤの一方向への公転によるクローズレバーのクローズ方向への回動をもって、ラッチをハーフラッチ位置からフルラッチ位置へ移動させるクローズ動作を可能にし、また、プラネタリーギヤの自転によるサンギヤの一方向への回動をもって、ラチェットとラッチとの係合を解除するリリース動作を可能としたことによって、クローズ機能とリリース機能を兼ね備えながらも装置の小型化を図ることができる。
【０００８】
請求項２に記載の発明は、請求項１に記載の発明において、前記リングギヤは、前記円周の外側に前記モータの動力により回転可能な出力ギヤと噛み合う外歯ギヤを有することを特徴とする。
【０００９】
請求項３に記載の発明は、請求項１または２に記載の発明において、前記リングギヤの前記円周を、扇形としたことを特徴とする。
【００１０】
請求項４に記載の発明は、請求項１〜３のいずれかに記載の発明において、前記クローズ・リリースユニットは、さらに前記ラチェットに直接または間接的に連結されて前記ラチェットと前記ラッチとの係合を解除するリリース方向へ移動可能なリリース出力レバーを備え、前記サンギヤは、前記サンギヤニュートラル位置から一方向へ回動することにより、前記リリース出力レバーをリリース方向へ回動させ得るように前記リリース出力レバーに当接可能な当接部を有することを特徴とする。
【００１１】
請求項５に記載の発明は、請求項１〜４のいずれかに記載の発明において、前記クローズレバーは、スプリングにより前記クローズ方向と反対方向への付勢されて、ストッパに当接したクローズレバーニュートラル位置に保持されると共に、前記ラッチに直接または間接的に連結されることを特徴とする。
【発明の効果】
【００１２】
本発明によると、モータの回転を減速するための減速機構を遊星歯車機構とし、当該遊星歯車機構の作動によりクローズ機能とリリース機能の両機能を可能としたため、クローズ機能とリリース機能を兼ね備えながらも装置の小型化を図ることができる。
【図面の簡単な説明】
【００１３】
【図１】本発明に係わるドアクローザ装置を適用したドアの模式図である。
【図２】ドアクローザ装置の車内側から見た外観斜視図である。
【図３】同じくドアクローザ装置の車内側から見た分解斜視図である。
【図４】同じくドアクローザ装置の内部を明示するための車内側から見た正面図である。
【図５】ラッチユニットの内部を明示するための前方から見た側面図である。
【図６】ラッチユニットの後方から見た側面図である。
【図７】オープン状態におけるドアクローザ装置の要部の正面図である。
【図８】ハーフラッチ状態におけるドアクローザ装置の要部の正面図である。
【図９】クローズ動作中におけるドアクローザ装置の要部の正面図である。
【図１０】フルラッチ状態におけるドアクローザ装置の要部の正面図である。
【図１１】クローズ動作をキャンセルした状態におけるドアクローザ装置の要部の正面図である。
【図１２】クローズ動作をキャンセルした状態後におけるドアクローザ装置の要部の正面図である。
【図１３】リリース動作状態におけるドアクローザ装置の要部の正面図である。
【図１４】リリース動作をキャンセルした状態におけるドアクローザ装置の要部の正面図である。
【図１５】図４におけるXV−XV線拡大断面図である。
【発明を実施するための形態】
【００１４】
以下、本発明の一実施形態を、図面に基づいて説明する。なお、以下の説明では、図１、７〜１４に左方を「後方」、右方を「前方」とする。
【００１５】
図１において、Ｄは、車体側面に前後方向へ開閉可能に支持されるスライドドア（以下、「ドア」と記す）、ＯＨは、ドアＤの外側面（アウタパネル）に配置され、ドアＤを車外から開閉する際に操作されるアウトサイドハンドル、ＩＨは、ドアＤの車内側面に配置され、ドアＤを車内から開閉する際に操作されるインサイドハンドル、ＫＮは、ドアＤの車内側に配置され、後述の施解錠機構１０１をアンロック状態及びロック状態に切換える際に操作されるロック操作ノブ、ＦＤは、ドアＤの前部に配置され、ドアＤを閉鎖位置に保持するためのフロントドアラッチ装置、ＯＤは、ドアＤの下部に配置され、ドアＤを全開位置に保持するための全開保持ラッチ、１は、ドアＤの後部に配置され、フロントドアラッチ装置ＦＤと共にドアＤを閉鎖位置に保持可能なドアクローザ装置、１００は、ドアＤの内部に配置され、アウトサイドハンドルＯＨ及びインサイドハンドルＩＨの各操作を中継制御し、当該中継制御した操作をドアクローザ装置１、フロントドアラッチ装置ＦＤ及び全開保持ラッチＯＤにそれぞれ伝達制御するための操作中継装置である。
【００１６】
操作中継装置１００は、ロック操作ノブＫＮのアンロック操作及びロック操作、及び施解錠用の電動アクチュエータ（図示略）の電動操作に基づいて、アウトサイドハンドルＯＨ及びインサイドハンドルＩＨの操作を有効としてドアＤの開操作を可能にするアンロック状態及び無効としてドアＤの開操作を不能にするロック状態に切り替え可能な複数のレバーにより構成される施解錠機構１０１と、施解錠機構１０１の状態に無関係にアウトサイドハンドルＯＨ及びインサイドハンドルＩＨの操作に常時連動するハンドル連動レバー１０２と、施解錠機構１０１がアンロック状態にあるときのみ、アウトサイドハンドルＯＨ及びインサイドハンドルＩＨの操作に基づいて作動する出力レバー１０３とを備える。ハンドル連動レバー１０２は、ロッドまたはボーデンケーブル等で構成される操作力伝達部材５０１及び５０２、５０３を介して全開保持ラッチＯＤ及びドアクローザ装置１にそれぞれ連結される。また、出力レバー１０３は、ロッドまたはボーデンケーブル等で構成される操作力伝達部材５０４及び５０５を介してフロントドアラッチ装置ＦＤ及びドアクローザ装置１にそれぞれ連結される。
【００１７】
図２〜４に示すように、ドアクローザ装置１は、車体側に固定されるストライカＳ（図５参照）と噛合しドアＤを閉鎖位置に拘束するラッチユニット２と、ドアＤの閉動作時、ドアＤをハーフラッチ状態（半ドア状態）からフルラッチ状態（全閉状態）に強制的に閉め込むように、ラッチユニット２をハーフラッチ状態からフルラッチ状態に作動させるクローズ機能及びストライカＳと噛合した噛合状態にあるラッチユニット２をリリース作動させるリリース機能を有するクローザ・リリースユニット３とを備える。
【００１８】
なお、ドアクローザ装置１は、ラッチ７及びラチェット９を含むラッチ機構に加えて、クローズ機能またはリリース機能のいずれか一方の機能、または両機能を備えた構成のものと定義する。
【００１９】
ラッチユニット２及びクローザ・リリースユニット３における上部は、雨水、塵埃等の浸入を阻止するための合成樹脂製のトップカバー６０により覆われる。クローザ・リリースユニット３における下部は、雨水、塵埃等の浸入を阻止するための合成樹脂製のアンダーカバー６１により覆われる。さらに、クローザ・リリースユニット３における後述の遊星歯車機構３３の車外側を向く側面も、トップカバー６０の側壁６０１及びアンダーカバー６１の側壁６１１により覆われる。
【００２０】
先ず、ラッチユニット２について説明する。
主に図２〜６に示すように、ラッチユニット２は、ドアＤへの取付面が金属製の平面視Ｌ字状のカバープレート４により閉塞される合成樹脂製のハウジング５を備える。ハウジング５内には、前後方向を向くラッチ軸６により枢支され、ストライカＳと係合可能なラッチ７と、前後方向を向くラチェット軸８により枢支され、ラッチ７の外周縁に設けられたフルラッチ係合部７１またはハーフラッチ係合部７２に選択的に係合可能なラチェット９とを含むラッチ機構が収容される。なお、図４は、ラッチユニット２の内部構造を明示するため、カバープレート４を省略している。
【００２１】
ラッチユニット２におけるカバープレート４及びハウジング５には、ドアＤの閉鎖時、ストライカＳが車内側から進入し得るように車内側が開口した車内外方向を向くストライカ進入溝４１、５１がそれぞれ設けられる。
【００２２】
ラッチ７は、ストライカＳから離脱したドアＤの開放状態に対応する図７に示すオープン位置から、ラッチ軸６に巻装されるスプリング１６（図３参照）の付勢力に抗してクローズ方向（図７において反時計方向）へ回動してストライカＳに辛うじて係合する図８に示すハーフラッチ位置を経由して、ストライカＳに完全に係合する図５、９、１０に示すフルラッチ位置に回動する。なお、以下の説明において、ラッチ７の「オープン位置」、「ハーフラッチ位置」及び「フルラッチ位置」は、必要に応じてラッチ機構の「オープン状態」、「ハーフラッチ状態」及び「フルラッチ状態」と記す。
【００２３】
図６に明示されるように、ハウジング５の前面側には、ラッチ軸６により枢支され、ラッチ７と一体的に回動可能な検知レバー１０及びラッチレバー１１と、ラチェット軸８により枢支され、ラチェット９と一体的に回動可能なオープンレバー１２とが配置される。
【００２４】
ラッチレバー１１は、ラッチ７と一体回動することによって、ラッチ７がオープン位置にあるときには、図７に示すように下方を向き、ラッチ７がハーフラッチ位置にあるときには、図８に示すように前方斜め下方を向き、ラッチ７がフルラッチ位置にあるときには、図９に示すように前方を向く。なお、ラッチレバー１１の先端部に設けられる作動部１１１は、ラッチ７がオープン位置にあるときには、遊星歯車機構３３の一部を構成する後述のクローズレバー３８のクローズ部３８１の移動軌跡外に退避し、ラッチ７がハーフラッチ位置に回動することによってクローズ部３８１の移動軌跡内に進入する。
【００２５】
検知レバー１０及びラッチレバー１１の回転面には、後方を向く連結シャフト１３が固着される。連結シャフト１３は、ハウジング５に設けられたラッチ軸６を中心とする円弧孔５２を貫通してラッチ７のアーム部７３に固着されることによって検知レバー１０、ラッチレバー１１及びラッチ７が一体回動するようにそれぞれを連結する。
【００２６】
オープンレバー１２は、後方を向く第１アーム部１２１がハウジング５に設けられたラチェット軸８を中心とする円弧孔５３を貫通してラチェット９に嵌合することによって、ラチェット９と一体回動する。
【００２７】
ラッチ７のハーフラッチ位置及びフルラッチ位置は、ハウジング５の前面側に設けられるハーフラッチ検出スイッチ１４及びフルラッチ検出スイッチ１５により検出され、それらの検出信号は、クローザ・リリースユニット３におけるモータ３２１の停止、駆動制御の契機となるように、制御回路装置（図示略）へ送信される。
【００２８】
ラチェット９は、ハウジング５の前面側に設けられるスプリング１７の付勢力によりオープンレバー１２と一緒に常時係合方向（例えば、図５、７〜１４において反時計方向）へ付勢されると共に、ラッチ７が図７に示すオープン位置にあるときにはラッチ７の外周縁に当接し、ラッチ７が図８に示すハーフラッチ位置にあるときにはラッチ７のハーフラッチ係合部７２に係合する係合位置に保持されることでラッチ７のハーフラッチ位置からオープン方向（例えば、図８、９において時計方向）への回動を阻止し、また、ラッチ７が図９に示すフルラッチ位置にあるときにはラッチ７のフルラッチ係合部７１に係合する係合位置に保持されることでラッチ７のフルラッチ位置からオープン方向への回動を阻止する。
【００２９】
ラチェット９がラッチ７のフルラッチ係合部７１またはハーフラッチ係合部７２に係合した係合位置にあって、操作中継装置１００の施解錠機構１０１がアンロック状態にあるときには、アウトサイドハンドルＯＨまたはインサイドハンドルＩＨがドア開操作されると、ラチェット９は、スプリング１７の付勢力に抗して、各種要素を介してリリース方向（例えば、図５、７〜１４において時計方向）へ揺動し図１１、１２に示すリリース位置に移動することにより、フルラッチ係合部７１またはハーフラッチ係合部７２から外れてドアＤの開扉を可能にする。
【００３０】
カバープレート４における前方へ折曲形成された支持面４２には、車内外方向を向く支軸１８によりリリース入力レバー１９、ブロックレバー２０及び緊急レバー２１が枢支される。
【００３１】
リリース入力レバー１９は、下部に設けた連結部１９１がドアＤ内に前後方向へ向けて配索される操作力伝達部材５０５の後端部が連結される。操作力伝達部材５０５の前端部は、操作中継装置１００の出力レバー１０３に連結される。これにより、アウトサイドハンドルＯＨまたはインサイドハンドルＩＨのいずれかがドア開操作されると、操作中継装置１００の施解錠機構１０１がアンロック状態にあるときのみ、リリース入力レバー１９は、例えば図７〜１０に示すニュートラル位置からスプリング２３の付勢力に抗してリリース方向（図７〜１０において反時計方向）へ揺動し、図１１、１２に示すリリース位置に回動する。リリース入力レバー１９がリリース位置に回動すると、リリース入力レバー１９の後端部に設けられた解除部１９２がオープンレバー１２の第２アーム部１２２の上端を押し下げることでオープンレバー１２を介してラチェット９をリリース方向へ回動させて、ラチェット９とラッチ７のフルラッチ係合７１またはハーフラッチ係合部７２との係合を外してドア開を可能にする。
【００３２】
なお、リリース入力レバー１９は、操作中継装置１００の出力レバー１０３に連結されるため、施解錠機構１０１がアンロック状態にあるときにはアウトサイドハンドルＯＨまたはインサイドハンドルＩＨのいずれかのドア開操作によってリリース方向へ揺動するが、施解錠機構１０１がロック状態にあるときにはアウトサイドハンドルＯＨ及びインサイドハンドルＩＨがドア開操作されてもニュートラル位置に止まりリリース方向へ揺動しない。
【００３３】
ブロックレバー２０は、スプリング２３の付勢力をもって、前方へ延出するアームの先端に形成したブロック部２０３が前方を向くブロック位置（図７〜１０に示す位置）に保持され、リリース入力レバー１９がリリース方向へ回動してリリース位置に移動したときには、自体に設けた当接部２０１にリリース入力レバー１９の折曲部１９３が下方から当接することで、ブロック位置から反時計方向へ所定角度回動した図１１、１２に示すキャンセル位置に回動する。
【００３４】
ブロック部２０３は、ブロックレバー２０がブロック位置に保持されている場合には、遊星歯車機構３３における後述するサンギヤ３５の反時計方向への回動を阻止し、また、同じくキャンセル位置に移動することで、サンギヤ３５における反時計方向への回動をフリーにする。これにより、ブロックレバー２０がブロック位置にある場合には、後述のように、遊星歯車機構３３の減速回転をラッチ７に伝達可能とし、また同じくキャンセル位置にある場合には、遊星歯車機構３３の減速回転の伝達を切断してラッチ７に伝達不能とする。
【００３５】
緊急レバー２１は、下部に設けた連結部２１１がドアＤ内に前後方向へ向けて配索される操作力伝達部材５０２の後端部が連結される。操作力伝達部材５０２の前端部は、操作中継装置１００のハンドル連動レバー１０２に連結される。これにより、緊急レバー２１には操作力伝達部材５０２を介してハンドル連動レバー１０２の作動が入力されることによって、緊急レバー２１は、施解錠機構１０１がアンロック状態またはロック状態にあるか否かに関係無く、アウトサイドハンドルＯＨまたはインサイドハンドルＩＨのいずれかのドア開操作に連動してニュートラル位置（図７〜１０参照）からリリース方向（図７〜１０において反時計方向）へ回動する。
【００３６】
緊急レバー２１がリリース方向へ回動した場合には、緊急レバー２１の上端に設けた当接部２１２がブロックレバー２０の折曲部２０２に下方から当接することで、ブロックレバー２０は、スプリング２３の付勢力に抗してリリース方向へ回動する。なお、この場合には、リリース入力レバー１９は、ニュートラル位置に保持されたままであり、ラチェット９はリリース方向へ揺動しない。これにより、施解錠機構１０１の状態に関係無く、アウトサイドハンドルＯＨまたはインサイドハンドルＩＨのいずれかをドア開操作することにより、ブロックレバー２０をキャンセル位置に移動させて、クローザ・リリースユニット３のクローズ動作を後述のように中断させることが可能となる。
【００３７】
次にクローザ・リリースユニット３について説明する。
図２〜４に示すように、クローザ・リリースユニット３は、ラッチユニット２におけるカバープレート４の支持面４２に上下２本のリベット２５により固定される金属製のベースプレート（ベース部材）３１と、ベースプレート３１における車外側を向く面の前部に配置され、電気駆動源をなすモータ３２１及び当該モータ３２１の回転を減速する減速歯車を内蔵した駆動ユニット３２と、ベースプレート３１における車外側を向く面の中央部（ラッチユニット２におけるラッチ７と駆動ユニット３２との間）に配置され、モータ３２１の回転力を出力する車内外方向の軸回りに回転可能な出力ギヤ３２２に噛合して出力ギヤ３２２の回転をさらに減速して出力可能な減速機構をなす遊星歯車機構３３と、ベースプレート３１に枢支される第１リリース出力レバー３０１、第２リリース出力レバー３０２及びキャンセルレバー３０３とを含むリリースキャンセル機構とを備える。
【００３８】
第１リリース出力レバー３０１は、ベースプレート３１に車内外方向を向く支軸３０４により前後方向へ回動可能に枢支されると共に、下方に延出するリリース部３０１ａと、車内外方向を向くフローティングピン３０８が上下方向へ摺動可能に係合する上下方向の長孔３０１ｂとを有する。なお、第１リリース出力レバー３０１は、スプリング３０６により図４において時計方向へ付勢されて非作動時には図４に示すニュートラル位置に保持されると共に、遊星歯車機構３３の後述のリリース作動に基づいて、ニュートラル位置からスプリング３０６の付勢力に抗して、リリース方向（図４において反時計方向）へ回動可能である。
【００３９】
第２リリース出力レバー３０２は、ベースプレート３１に第１リリース出力レバー３０１と同軸により枢支されると共に、第１リリース出力レバー３０１のニュートラル方向への作動に連動し得るように、上部に設けられた折曲部３０２ａが第１リリース出力レバー３０１の回動方向に当接する。
【００４０】
第２リリース出力レバー３０２の上端部には、第２リリース出力レバー１０２のニュートラル位置（図４参照）からリリース方向（図４において反時計方向）への作動を操作中継装置１００のハンドル連動レバー１０２に伝達するための前後方向を向く操作力伝達部材５０３の後端部が連結される。さらに、第２リリース出力レバー３０２には、フローティングピン３０８が摺動可能に係合する逆Ｌ字型の長孔３０２ｂが設けられる。
【００４１】
キャンセルレバー３０３は、ベースプレート３１に車内外方向を向く支軸３０３ｃにより前後方向へ回動可能に枢支され、通常はスプリング３０７の付勢力により接続位置（図４参照）に保持される。キャンセルレバー３０３における後方へ延出するアーム部３０３ａには、第２リリース出力レバー３０２の長孔３０２ｂに側面に重なってフローティングピン３０８が前後方向へ摺動可能に係合する前後方向の長孔３０３ｂが設けられる。
【００４２】
キャンセルレバー３０３の上部には、ロック操作ノブＫＮのアンロック操作またはロック操作のいずれかの操作の作動をキャンセルレバー３０３に伝達するための前後方向を向く操作力伝達部材５０６の前端部が連結される。これにより、キャンセルレバー３０３は、通常は接続位置にあるが、緊急時に乗員による所定の手動操作によってロック操作ノブＫＮがアンロック操作またはロック操作に操作されたときには、当該操作に連動して接続位置からスプリング３０６の付勢力に抗して切断方向（図４において時計方向）へ所定角度回動した切断位置（図１４参照）に移動する。
【００４３】
フローティングピン３０８は、キャンセルレバー３０３の移動に従動し、キャンセルレバー３０３が接続位置にあるときには第２リリース出力レバー３０２の長孔３０２ｂの下部に位置することで、第１リリース出力レバー３０１と第２リリース出力レバー３０２間の操作力伝達経路を接続して、第１リリース出力レバー３０１のリリース作動を第２リリース出力レバー３０２に伝達可能とし、また、キャンセルレバー３０３が切断位置にあるときには長孔３０２ｂの上部に位置することで、第１リリース出力レバー３０１が何らかの原因によってリリース位置に拘束されてニュートラル位置への復帰が不能になるリリース拘束状態が発生した場合でも、第１リリース出力レバー３０１と第２リリース出力レバー３０２間の操作力伝達経路を切断することでリリース拘束状態を解除して、第２リリース出力レバー３０２のリリース作動位置からニュートラル位置への復帰を可能にする。
【００４４】
キャンセルレバー３０３が切断位置にある状態において、第１、２リリース出力レバー３０１、３０２がリリース作動すると、当該作動は、操作力伝達部材５０３を介して操作中継装置１００のハンドル連動レバー１０２に伝達されてハンドル連動レバー１０２を作動させる。ハンドル連動レバー１０２の作動は、操作中継装置１００の施解錠機構１０１がアンロック状態にあれば、出力レバー１０３、操作力伝達部材５０５及び５０４を介してリリース入力レバー１９、及びフロントドアラッチ装置ＦＤにそれぞれ伝達される。
【００４５】
遊星歯車機構３３は、ラッチユニット２におけるラッチ機構をハーフラッチ状態からフルラッチ状態、すなわちラッチ７をハーフラッチ位置からフルラッチ位置に移動させるクローズ機能、及びラチェット９をリリース作動させてドア開を可能にするリリース機能を兼ね備える。
【００４６】
図４に示すように、遊星歯車機構３３は、ベースプレート３１における車外側を向く面に車内外方向を向く支軸３４により枢支される本発明の遊星歯車機構３３の一部を構成する回転部材をなすサンギヤ３５と、サンギヤ３５に自転しつつ公転可能に噛み合う単一のプラネタリーギヤ３６と、支軸３４に枢支されると共に、車内外方向を向く軸３７によりプラネタリーギヤ３６を枢支するクローズレバー３８と、支軸３４により枢支されると共に、円周の外側に出力ギヤ３２２に噛み合う外歯ギヤ３９１、円周の内側にプラネタリーギヤ３６に噛み合う内歯ギヤ３９２をそれぞれ有するリンクギヤをなすセクタギヤ３９とを含んで構成される。
【００４７】
図７に示すように、サンギヤ３５は、中心角θ１がほぼ１７０°の扇形の円周の外側にプラネタリーギヤ３６に噛み合う外歯ギヤ３５１を有し、外歯ギヤ３５１を形成していない上部の回転面には、車内側へ突出する円柱状の当接部３５２が設けられる。
【００４８】
当接部３５２は、サンギヤ３５の反時計方向への回動が阻止されるように、サンギヤ３５の反時計方向への回動に対してブロックレバー２０のブロック部２０３に当接可能であり、また、サンギヤ３５が時計方向へ回動して第１リリース出力レバー３０１のリリース部３０１ａに当接することで、第１リリース出力レバー３０１をリリース方向へ作動させる。すなわち、サンギヤ３５は、通常（ブロックレバー２０がニュートラル位置にある状態）、サンギヤニュートラル位置（例えば、図４に示す位置）から時計方向へ回動可能であるが、サンギヤニュートラル位置から反時計方向へは回動不能に構成される。
【００４９】
ブロックレバー２０がブロック位置（例えば、図７〜１０に示す位置）にある場合、ブロックレバー２０のブロック部２０３は、当接部３５２の移動軌跡内にあって、サンギヤ３５が図７に示す位置から反時計方向へ若干回動することで、当接部３５３に当接してサンギヤ３５の反時計方向への回動をブロックし、また、ブロックレバー２０がキャンセル位置（例えば、図１１、１２に示す位置）にある場合には、ブロックレバー２０のブロック部２０３は、当接部３５２の移動軌跡外に退避して、サンギヤ３５の反時計方向への回転をフリーにする。
【００５０】
遊星歯車機構３３が作動していない状態、すなわちニュートラル状態において、サンギヤ３５は、外歯ギヤ３５１が下向きで、当接部３５２が最上位に位置するニュートラル位置にセットされる。
【００５１】
なお、本実施形態においては、サンギヤ３５を中心角θ１がほぼ１７０°の扇形の円周の外側に外歯ギヤ３５１を形成したものとしたが、本発明はこれに限定されるものでなく、サンギヤ３５の中心角は、９０°から１８０°の範囲で適宜変更可能である。
【００５２】
主に図７に示すように、クローズレバー３８は、後方へ延出するアームの先端部、すなわち支軸３４よりもラッチユニット２のラッチ７に近接する方の一端部に、ラッチレバー１１の作動部１１１に対して当接可能な上向きのクローズ部３８１を有し、前方斜め下方に延出するアームの先端部、すなわち支軸３４よりもラッチ７に対して離れた方の他端部に、プラネタリーギヤ３６を軸３７により枢支するための枢支部３８２を有する。
【００５３】
遊星歯車機構３３のニュートラル状態（例えば、図７に示す状態）において、クローズレバー３８は、一端がクローズレバー３８に掛止され、他端がベースプレート３１に掛止されたスプリング４０により反時計方向へ付勢されてベースプレート３１に設けたストッパ部３１１に上方から当接することで、クローズ部３８１が後方斜め下方へ向き、枢支部３８２が前方斜め下方、すなわち出力ギヤ３２２が位置する方向へ向くようなニュートラル位置に保持される。よって、クローズレバー３８がニュートラル位置にある場合には、プラネタリーギヤ３６及び出力ギヤ３２２は、互いにセクタギヤ３９の外歯ギアや３９１及び内歯ギヤ３９２を挟んだ状態で対向する。これにより、遊星歯車機構３３がニュートラル状態にある場合には、互いに対向するプラネタリーギヤ３６と出力ギヤ３２２間に、セクタギヤ３９の外歯ギヤ３９１及び内歯ギヤ３９２が挟み込まれるので、セクタギヤ３９のがた付きを抑えることが可能となる。
【００５４】
図７に示すように、セクタギヤ３９は、中心角θ２がほぼ８０°の扇形の円周の外側に外歯ギヤ３９１、また同じく内側に内歯ギヤ３９２を設けたものであって、支軸３４が内挿する軸孔３９３を形成した支持部３９４と、支持部３９４と内歯ギヤ３９２との間にあって、内歯ギヤ３９２に噛み合うプラネタリーギヤ３６を収容する開口部３９５とを有する。プラネタリーギヤ３６は、開口部３９５内に収容された状態で自転及び公転を行う。
【００５５】
なお、遊星歯車機構３３のニュートラル状態において、セクタギヤ３９は、外歯ギヤ３９１が前方、すなわちラッチユニット２のラッチ７が配置される方向と反対方向を向くリングギヤニュートラル位置にセットされる。なお、セクタギヤ３９のリングギヤニュートラル位置は、セクタギヤ３９の下方に配置される検出スイッチ６２によって検出される。
【００５６】
セクタギヤ３９における支持部３９４と外歯ギヤ３９１及び内歯ギヤ３９２を形成した円周部分とを繋ぐ上下の架橋部３９６には、円周部分が支持部３９４よりもベースプレート３１の表面に接近するように段差部３９７が設けられる。これにより、図１５に示すように、ベースプレート３１にクローズレバー３８、サンギヤ３５及びセクタギヤ３９を支軸３４の軸方向へ重ねた状態で、サンギヤ３５の外歯ギヤ３５１と、プラネタリーギヤ３６と、セクタギヤ３９の外歯ギヤ３９１及び内歯ギヤ３９２と、出力ギヤ３２２の全ては、ほぼ同一面上に並んで状態で配置されることで、遊星歯車機構３３の支軸３４の軸方向の薄型化を可能にすると共に、円滑な作動を得ることが可能となる。
【００５７】
図７に示すように、ブロックレバー２０がブロック位置にあって、遊星歯車機構３３がニュートラル状態にある状態において、モータ３２１の正転に伴って、セクタギヤ３９が支軸３４を中心にしてクローズ方向（時計方向）へ回動すると、このときサンギヤ３５の反時計方向への回動はブロックレバー２０のブロック部２０３によりブロックされているため、プラネタリーギヤ３６は時計方向へ自転しつつ公転する。これにより、クローズレバー３８は、プラネタリーギヤ３６の公転に追従して支軸３４を中心にクローズ方向（時計方向）へセクタギヤ３９よりも減速されて揺動し、図９に示すように、クローズ部３８１が真上を向くクローズ位置まで回動する。
【００５８】
また、図７に示すように、ブロックレバー２０がブロック位置にあって、遊星歯車機構３３がニュートラル状態にある状態において、モータ３２１の逆転に伴って、セクタギヤ３９が支軸３４を中心にしてリリース方向（反時計方向）へ回動した場合には、クローズレバー３８は、スプリング４０の付勢力により、反時計方向へ付勢されてニュートラル位置に保持されているため、クローズレバー３８に枢支されたプラネタリーギヤ３６は、公転しないで反時計方向へ自転する。この結果、サンギヤ３５は、プラネタリーギヤ３６の自転に基づいて時計方向、すなわちリリース方向へ所定角度回動し、当接部３５２が第１リリース出力レバー３０１のリリース部３０１ａに対して後方から当接し第１リリース出力レバー３０１をリリース方向へ作動させる。
【００５９】
第１リリース出力レバー３０１のリリース作動は、キャンセルレバー３０３が接続位置にあるときには、フローティングピン３０８、第２リリース出力レバー３０２、操作力伝達部材５０３、操作中継装置１００のハンドル連動レバー１０２に伝達される。さらに、ハンドル連動レバー１０２のリリース作動は、操作中継装置１００の施解錠機構１０１がアンロック状態にあれば、出力レバー１０３、操作力伝達部材５０５、リリース入力レバー１９、オープンレバー１２を介して、ラチェット９に伝達される。これにより、ラチェット９は、リリース作動してラッチ７との係合を解除して、ドアＤの開きを可能にする。ラッチ機構のリリース作動が完了した後は、モータ３２１は反転制御され、遊星歯車機構３３はニュートル状態に復帰する。
【００６０】
上述のように、本実施形態における遊星歯車機構３３は、セクタギヤ３９に外歯ギヤ３９１及び内歯ギヤ３９２を設け、内歯ギヤ３９２に噛み合う単一のプラネタリーギヤ３６をセクタギヤ３９の開口部３９５内に配置したことにより、単一のプラネタリーギヤ３６がセクタギヤ３９の円周部分よりも内側の開口部３９５内で自転及び公転を行うため、遊星歯車機構３３の円周方向の小型化を図ることが可能となる。
【００６１】
さらに、セクタギヤ３９を中心角が１８０°以下の扇形の円周の外側に外歯ギヤ３９１、また同じく内側に内歯ギヤ３９２をそれぞれ設けた構成で、かつサンギヤ３５を中心角１８０°以下の扇形の円周の外側に外歯ギヤ３５１を設けた構成としたことによって、セクタギヤ３９及びサンギヤ３５の小型化を図り、遊星歯車機構３３の小型化を図ることができる。
【００６２】
さらには、単一のプラネタリーギヤ３６をクローズレバー３８の枢支部３８２に直接枢支したことによって、部品数を削減して、クローズレバー３８の作動を円滑にすることができる。
【００６３】
さらには、セクタギヤ３９を、ニュートラル位置にあるとき、外歯ギヤ３９１及び内歯ギヤ３９２をラッチ７に対して支軸３４よりも離れた位置にのみ設けたことによって、ラッチ７と遊星歯車機構３３の支軸３４間には、セクタギヤ３９の外歯ギヤ３９１及び内歯ギヤ３９２が存在しないため、遊星歯車機構３３の支軸３４をラッチ７寄りに接近させることが可能となり、ドアクローザ装置１の小型化を図ることが可能となる。
【００６４】
次に、ドアクローザ装置１の動作を図７〜１４に基づいて説明する。
（クローズ動作）
図７に示すように、ドアＤが開いた状態、すなわち、ラッチユニット２がオープン状態にあって、クローザ・リリースユニット３の全ての要素がニュートラル位置にある状態において、ドアＤが半ドア位置まで閉じられると、図８に示すように、ストライカＳがラッチ７に噛合することで、ラッチ７は、ハーフラッチ位置に回動し、ラチェット９は、ラッチ７のハーフラッチ係合部７２に係合する。このとき、ラッチレバー１１の作動部１１１は、ラッチ７のハーフラッチ位置への回動によりクローズレバー３８のクローズ部３８１の移動軌跡内に進入する。
【００６５】
ラッチ７がハーフラッチ位置に回動したことをハーフラッチ検出スイッチ１４が検出すると、モータ３２１は、制御回路装置により正転制御される。これにより、図８に示すハーフラッチ状態において、出力ギヤ３２２は、矢印方向の反時計方向へ回動し、セクタギヤ３９は、支軸３４を中心に矢印方向のクローズ方向へ揺動する。この場合、ブロックレバー２０がブロック位置にあって、ブロック部２０３がサンギヤ３５の当接部３５２に当接可能な位置にあるため、サンギヤ３５は、反時計方向へ若干揺動したあと当接部３５２がブロック部２０３に当接することで反時計方向への揺動がブロックされる。この結果、プラネタリーギヤ３６は、セクタギヤ３９の開口部３９５内に収容された状態で時計方向へ自転しつつ公転する。
【００６６】
クローズレバー３８は、プラネタリーギヤ３６の時計方向への公転に伴って、スプリング４０の付勢力に抗して、矢印方向のクローズ方向（時計方向）へ揺動し、クローズ部３８１の上方移動によりラッチレバー１１の作動部１１１を押し上げ、ラッチレバー１１を反時計方向へ揺動させる。これにより、図９に示すように、ラッチ７がハーフラッチ位置からフルラッチ位置へ揺動する。そして、フルラッチ検出スイッチ１５がラッチ７のフルラッチ位置を検出すると、モータ３２１は、制御回路装置により一旦停止制御された後、即座に反転制御される。
【００６７】
モータ３２１が反転制御されると、セクタギヤ３９は、反時計方向へ反転し、プラネタリーギヤ３６は、反時計方向へ自転しつつ公転する。クローズレバー３８は、プラネタリーギヤ３６の公転と相俟ってスプリング４０の反時計方向への付勢力によって反転して図１０に示すようにニュートラル位置に復帰する。そして、検出スイッチ６２がセクタギヤ３９のニュートラル位置を検出すると、モータ３２１は停止制御され、遊星歯車機構３３は作動前のニュートラル状態に戻り、一連のクローズ動作は終了する。
【００６８】
（クローズ動作を中断させるキャンセル動作）。
図８に示すハーフラッチ状態から図９に示すフルラッチ状態へ移行する途中の段階において、例えば、ドアＤと車体の乗降口との間に異物が挟まれる等してクローズ動作を中断させる必要が生じた場合には、アウトサイドハンドルＯＨまたはインサイドハンドルＩＨのいずれかをドア開操作することによって、異物の挾み込みを回避するが可能となる。
【００６９】
すなわち、操作中継装置１００の施解錠機構１０１がアンロック状態にある場合には、アウトサイドハンドルＯＨまたはインサイドハンドルＩＨのいずれかのドア開操作によってモータ３２１は停止制御される。また、これと同時に、図１１に示すように、リリース入力レバー１９は、リリース方向へ作動することで、リリース部１９２がオープンレバー１２の第２アーム部１２２を押し下げてオープンレバー１２と共にラチェット９をリリース方向へ作動させると共に、折曲部１９３がブロックレバー２０の当接部２０１に当接してブロックレバー２０をスプリング２３の付勢力に抗してキャンセル位置に揺動させる。
【００７０】
ブロックレバー２０がキャンセル位置に移動すると、ブロック部２０３は、サンギヤ３５の当接部３５２の移動軌跡外に退避し、サンギヤ３５の反時計方向への回動をフリーにする。この結果、セクタギヤ３９からプラネタリーギヤ３６への減速伝達が切断されることによって、図１２に示すように、クローズレバー３８が、スプリング４０の付勢力によって、ニュートラル位置に反転することで、ラッチ７のオープン位置への揺動を可能にしてドアＤを即座に開けることができる。これにより、ドアＤと車体の乗降口との間に異物が挟み込まれる危険性を回避して安全性の向上を図ることができる。
【００７１】
異物の挾み込みを回避した後、アウトサイドハンドルＯＨまたはインサイドハンドルＩＨのいずれかの開操作を止めると、モータ３２１は反転制御され、セクタギヤ３９は、リングギヤニュートラル位置へ向けて揺動し、サンギヤ３５は、セクタギヤ３９の揺動によるプラネタリーギヤ３６の自転及び公転に伴って、サンギヤニュートラル位置（例えば、図７、８に示す位置）に復帰する。これで、キャンセル動作の一連の動作は完了する。
【００７２】
また、操作中継装置１００の施解錠機構１０１がロック状態にある場合には、アウトサイドハンドルＯＨまたはインサイドハンドルＩＨのドア開操作は、リリース入力レバー１９に伝達されないが、緊急レバー２１には伝達される。したがって、緊急レバー２１のリリース作動をもって、ブロックレバー２０をキャンセル位置に揺動させることで、上述の同様にクローズ動作を中断させることができる。
【００７３】
（リリース動作）
図７に示す状態において、車内に設けられた操作スイッチまたはワイヤレス操作スイッチを操作することで、モータ３２１は逆転する。これにより、セクタギヤ３９は、支軸３４を中心にしてリリース方向（反時計方向）へ回動するが、プラネタリーギヤ３６は、ニュートラル位置に保持されて反時計方向への回動が阻止されたクローズレバー３８に枢支されているため、公転しないで反時計方向へ自転する。サンギヤ３５は、プラネタリーギヤ３６の自転に基づいてサンギヤニュートラル位置からリリース方向へ所定角度回動する。これにより、図１３に示すように、サンギヤ３５が回転することで、サンギヤ３５の当接部３５２が第１リリース出力レバー３０１のリリース部３０１ａに当接し、第１リリース出力レバー３０１をリリース方向へ作動させる。
【００７４】
キャンセルレバー３０３が接続位置にある場合には、第１リリース出力レバー３０１のリリース作動は、フローティングピン３０８を介して第２リリース出力レバー３０２に伝達され、第２リリース出力レバー３０２のリリース作動は、操作力伝達部材５０３を介して操作中継装置１００のハンドル連動レバー１０２に伝達される。ハンドル連動レバー１０２に入力されたリリース作動は、操作中継装置１００の施解錠機構１０１がアンロック状態にあれば、出力レバー１０３、操作力伝達部材５０５を介してリリース入力レバー１９に伝達される。これにより、ラチェット９は、リリース作動してラッチ７との係合を解除して、ドアＤの開きを可能にする。
【００７５】
（リリース動作をキャンセルさせるためのキャンセル動作）
セクタギヤ３９がリングギヤニュートラル位置からリリース方向へ作動した状態において、電気的故障、または他の原因によってセクタギヤ３９がリリース方向へ作動した位置に停止してリングギヤニュートラル位置への復帰が不能な状態になった場合には、図１３に示すように、サンギヤ３５の当接部３５２が第１リリース出力レバー３０１のリリース部３０１ａに当接したままとなり、第１リリース出力レバー３０１及び第２リリース出力レバー３０２は、リリース作動した位置に拘束されるリリース拘束状態が発生する。この結果、この状態でドアＤを閉じようと試みても、ラチェット９は、リリース作動した状態に保持されたままとなっているため、ラッチ７に係合することはできず、ドアＤを閉じることができない。
【００７６】
上述のようなリリース拘束状態に陥った場合には、乗員によりロック操作ノブＫＮをロック操作またはアンロック操作のいずれかの操作が行われることによって、リリース拘束状態を解除して速やかにドアＤを閉じることができる。
【００７７】
すなわち、図１３に示すリリース拘束状態において、ロック操作ノブＫＮをロック操作またはアンロック操作のいずれかの操作が行われると、当該操作は、操作力伝達部材５０６を介してキャンセルレバー３０３に伝達され、キャンセルレバー３０３は、スプリング３０７の付勢力を抗して、切断位置に作動する。これにより、フローティングピン３０８は、キャンセルレバー３０３の切断位置への移動に追従して、第２リリース出力レバー３０２の長孔３０２ａの上部である切断位置に移動し、第１リリース出力レバー３０１と第２リリース出力レバー３０２間の操作力伝達経路を切断して、第２リリース出力レバー３０２のニュートラル位置への移動を可能にする。これにより、リリース作動した位置に拘束されていた第２リリース出力レバー３０２は、第１リリース出力レバー３０１を残したままニュートラル位置へ復帰可能となることで、リリース入力レバー１９、オープンレバー１２のニュートラル位置への復帰を可能として、ラチェット９のラッチ７に対する係合を可能として、ドアＤの閉鎖を可能となる。
【００７８】
以上、本発明の実施形態について説明したが、本発明の要旨を逸脱しない範囲内で、次のような種々の変形や変更を施すことが可能である。
（ａ）クローズレバー３８のクローズ部３８１を、ラッチレバー１１を介さないで、ラッチ７に直接連結する。
（ｂ）クローザ・リリースユニット３におけるベースプレート３１を、ラッチユニット２におけるカバープレート４に固定することに代えて、ハウジング５に直接または他の要素を介してハウジング５に固定する。
（ｃ）サンギヤ３５の他方向（図４において反時計方向）への回動を阻止する構造を、ブロックレバー２０に代えて、ベースプレート３１等に設けたストッパとする。
（ｄ）第２リリース出力レバー３０２を、操作中継装置１００を経由させないで、ラチェット９に直接または間接的に連結する。
（ｅ）第１、２リリース出力レバー３０１、３０２を省略して、サンギヤ３５の一方向（図４において時計方向）への回動をもって、当接部３５２がラチェット９、オープンレバー１２またはリリース入力レバー１９に当接可能とすることで、ラチェット９をリリース作動させるようにする。
（ｆ）キャンセルレバー３０３を、ロック操作ノブＫＮに代えて、ドアＤが開放状態にあるときに操作可能な操作部材またはドアＤの開閉作動に連動する連動部材に直接または間接的に連結する。
【符号の説明】
【００７９】
１  ドアクローザ装置
２  ラッチユニット
３  クローザ・リリースユニット
４  カバープレート
５  ハウジング
６  ラッチ軸
７  ラッチ
８  ラチェット軸
９  ラチェット
１０  検知レバー
１１  ラッチレバー
１２  オープンレバー
１３  連結シャフト
１４  ハーフラッチ検出スイッチ
１５  フルラッチ検出スイッチ
１６  スプリング
１７  スプリング
１８  支軸
１９  リリース入力レバー
２０  ブロックレバー
２１  緊急レバー
２３  スプリング
２５  リベット
３１  ベースプレート（ベース部材）
３２  駆動ユニット
３３  遊星歯車機構（減速機構）
３４  支軸
３５  サンギヤ（回転部材）
３６  プラネタリーギヤ
３７  軸
３８  クローズレバー
３９  セクタギヤ（リングギヤ）
４０  スプリング
４１  ストライカ進入溝
４２  支持面
５１  ストライカ進入溝
５２、５３  円弧孔
６０  トップカバー
６１  アンダーカバー
６２  検出スイッチ
７１  フルラッチ係合部
７２  ハーフラッチ係合部
７３  アーム部
１００  操作中継装置
１０１  施解錠機構
１０２  ハンドル連動レバー
１０３  出力レバー
１１１  作動部
１２１  第１アーム部
１２２  第２アーム部
１９１  連結部
１９２  リリース部
１９３  折曲部
２０１  当接部
２０２  折曲部
２０３  ブロック部
２１１  連結部
２１２  当接部
３０１  第１リリース出力レバー（リリースキャンセル機構）
３０１ａ  リリース部
３０１ｂ  長孔
３０２  第２リリース出力レバー（リリースキャンセル機構）
３０２ａ  折曲部
３０２ｂ  長孔
３０３  キャンセルレバー（リリースキャンセル機構）
３０３ａ  アーム部
３０３ｂ  長孔
３０３ｃ  支軸
３０４  支軸
３０６  スプリング
３０７  スプリング
３０８  フローティングピン
３１１  ストッパ部
３２１  モータ（電気駆動源）
３２２  出力ギヤ
３５１  外歯ギヤ
３５２  当接部
３８１  クローズ部
３８２  枢支部
３９１  外歯ギヤ
３９２  内歯ギヤ
３９３  軸孔
３９４  支持部
３９５  開口部
３９６  架橋部
３９７  段差部
５０１〜５０６  操作力伝達部材
６０１  側壁
６１１  側壁
Ｄ  スライドドア
ＦＤ  フロントドアラッチ装置
ＩＨ  インサイドハンドル
ＫＮ  ロック操作ノブ
ＯＤ  全開保持ラッチ
ＯＨ  アウトサイドハンドル
Ｓ  ストライカ
【図１】
2014009477.tif 000003
【図２】
2014009477.tif 000004
【図３】
2014009477.tif 000005
【図４】
2014009477.tif 000006
【図５】
2014009477.tif 000007
【図６】
2014009477.tif 000008
【図７】
2014009477.tif 000009
【図８】
2014009477.tif 000010
【図９】
2014009477.tif 000011
【図１０】
2014009477.tif 000012
【図１１】
2014009477.tif 000013
【図１２】
2014009477.tif 000014
【図１３】
2014009477.tif 000015
【図１４】
2014009477.tif 000016
【図１５】
2014009477.tif 000017